【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
出力端子が対応するゲートラインにそれぞれ接続されており、１つの開始パルスに応答してゲートクロックパルス又はゲートクロックバーパルスを前記各ゲートラインにゲート駆動信号として出力するように、互いに従属的に接続された複数のステージを有する回路部と、
外部から伝達された前記開始パルスを、前記複数のステージのうち、最初の奇数番目のステージ及び最初の偶数番目のステージの入力端子に供給する開始パルス配線が形成された配線部と、を含むことを特徴とするゲート駆動回路。
【請求項２】
外部入力信号に応答して出力イネーブル信号、ゲートクロック、及び１つの開始信号を生成するタイミングコントローラと、
前記出力イネーブル信号及び前記ゲートクロックに応答してゲートクロックパルス及びゲートクロックバーパルスを生成し、前記開始信号及び前記ゲートクロックに応答して１つの開始パルスを生成するレベルシフタと、
前記１つの開始パルスに応答して前記ゲートクロックパルス又は前記ゲートクロックバーパルスを複数のゲートラインにゲート駆動信号として出力する第１及び第２ゲート駆動回路と、を含むことを特徴とする液晶表示装置。
【請求項３】
前記第１及び第２ゲート駆動回路は、前記ゲートラインが形成された液晶パネルに集積され、前記ゲートラインの両端にそれぞれ形成されて前記ゲートラインをデュアル駆動する、請求項２に記載の液晶表示装置。
【請求項４】
前記第１及び第２ゲート駆動回路は、互いに従属的に接続された複数のステージを含み、
前記複数のステージは、出力端子が前記複数のゲートラインにそれぞれ対応して接続される、請求項２または３に記載の液晶表示装置。
【請求項５】
前記複数のステージのうち一の奇数番目のステージは、前記ゲートクロックパルス及び前記ゲートクロックバーパルスの一方をゲート駆動信号として出力し、前記一の奇数番目のステージの次の奇数番目のステージは、前記ゲートクロックパルス及び前記ゲートクロックバーパルスの他方をゲート駆動信号として出力し、
前記複数のステージのうち一の偶数番目のステージは、前記ゲートクロックパルス及び前記ゲートクロックバーパルスの一方をゲート駆動信号として出力し、前記一の偶数番目のステージの次の偶数番目のステージは、前記ゲートクロックパルス及び前記ゲートクロックバーパルスの他方をゲート駆動信号として出力する、請求項４に記載の液晶表示装置。
【請求項６】
前記奇数番目のステージは、入力端子が前の奇数番目のステージのキャリー端子に接続され、制御端子が次の奇数番目のステージの出力端子に接続され、
前記偶数番目のステージは、入力端子が前の偶数番目のステージのキャリー端子に接続され、制御端子が次の偶数番目のステージの出力端子に接続される、請求項５に記載の液晶表示装置。
【請求項７】
前記奇数番目のステージは、キャリー端子が最後の奇数番目のステージの制御端子に接続される第１ダミーステージを含み、
前記偶数番目のステージは、キャリー端子が最後の偶数番目のステージの制御端子に接続される第２ダミーステージを含む、請求項５または６に記載の液晶表示装置。
【請求項８】
前記第１ダミーステージの出力端子は、他の複数の奇数番目のステージのリセット端子に接続され、
前記第２ダミーステージの出力端子は、他の複数の偶数番目のステージのリセット端子に接続される、請求項７に記載の液晶表示装置。
【請求項９】
前記第２ダミーステージの出力端子は、他の複数のステージのリセット端子に接続され、前記第２ダミーステージは、前記他の複数のステージのリセット端子に接続されるプルアップトランジスタを含み、
前記第２ダミーステージのプルアップトランジスタは、前記他の複数のステージのプルアップトランジスタよりもサイズが大きい、請求項７に記載の液晶表示装置。
【請求項１０】
前記レベルシフタにゲートオン電圧及びゲートオフ電圧を供給する電源供給部をさらに含み、
前記レベルシフタは、前記ゲートクロックパルス、前記ゲートクロックバーパルス、及び前記開始パルスを前記ゲートオン電圧レベル及び前記ゲートオフ電圧レベルで出力し、
前記レベルシフタは、
前記出力イネーブル信号及び前記ゲートクロックを論理演算し、電圧レベルを増幅させることにより、前記ゲートクロックパルスを出力する第１レベルシフト部と、
前記出力イネーブル信号及び前記ゲートクロックを論理演算し、位相を反転させ、電圧レベルを増幅させることにより、前記ゲートクロックバーパルスを出力する第２レベルシフト部と、を含む、請求項３〜９のいずれか１項に記載の液晶表示装置。
【請求項１１】
前記第１レベルシフト部は、
前記出力イネーブル信号及び前記ゲートクロックをＯＲ演算する論理演算部と、
前記論理演算部の出力の位相を反転させて増幅する駆動インバータと、
前記駆動インバータの出力に応答して前記ゲートオン電圧レベル及び前記ゲートオフ電圧レベルの前記ゲートクロックパルスを生成するフルスイングインバータと、を含む、請求項１０に記載の液晶表示装置。
【請求項１２】
前記第２レベルシフト部は、
前記出力イネーブル信号及び前記ゲートクロックをＯＲ演算する論理演算部と、
前記論理演算部の出力の位相を反転させて出力する反転インバータと、
前記反転インバータの出力の位相を反転させて増幅する駆動インバータと、
前記駆動インバータの出力に応答して前記ゲートオン電圧レベル及び前記ゲートオフ電圧レベルの前記ゲートクロックバーパルスを生成するフルスイングインバータと、を含む、請求項１０または１１に記載の液晶表示装置。
【手続補正２】
【補正対象書類名】明細書
【補正対象項目名】０００９
【補正方法】変更
【補正の内容】
【０００９】
本発明による液晶表示装置は、外部入力信号に応答して出力イネーブル信号、ゲートクロック、及び１つの開始信号を生成するタイミングコントローラと、前記出力イネーブル信号及び前記ゲートクロックに応答してゲートクロックパルス及びゲートクロックバーパルスを生成し、前記開始信号及び前記ゲートクロックに応答して１つの開始パルスを生成するレベルシフタと、前記１つの開始パルスに応答して前記ゲートクロックパルス又は前記ゲートクロックバーパルスを複数のゲートラインにゲート駆動信号として出力する第１及び第２ゲート駆動回路と、を含む。
【手続補正３】
【補正対象書類名】明細書
【補正対象項目名】００１０
【補正方法】変更
【補正の内容】
【００１０】
ここで、前記第１及び第２ゲート駆動回路は、前記ゲートラインが形成された液晶パネルに集積され、前記ゲートラインの両端にそれぞれ形成されて前記ゲートラインをデュアル駆動することが好ましい。
【手続補正４】
【補正対象書類名】明細書
【補正対象項目名】００１１
【補正方法】変更
【補正の内容】
【００１１】
また、前記第１及び第２ゲート駆動回路は、互いに従属的に接続された複数のステージを含み、前記複数のステージは、出力端子が前記複数のゲートラインにそれぞれ対応して接続されることが好ましい。
【手続補正５】
【補正対象書類名】明細書
【補正対象項目名】００１２
【補正方法】変更
【補正の内容】
【００１２】
ここで、前記複数のステージのうち一の奇数番目のステージは、前記ゲートクロックパルス及び前記ゲートクロックバーパルスの一方をゲート駆動信号として出力し、前記一の奇数番目のステージの次の奇数番目のステージは、前記ゲートクロックパルス及び前記ゲートクロックバーパルスの他方をゲート駆動信号として出力し、前記複数のステージのうち一の偶数番目のステージは、前記ゲートクロックパルス及び前記ゲートクロックバーパルスの一方をゲート駆動信号として出力し、前記一の偶数番目のステージの次の偶数番目のステージは、前記ゲートクロックパルス及び前記ゲートクロックバーパルスの他方をゲート駆動信号として出力することが好ましい。
【手続補正６】
【補正対象書類名】明細書
【補正対象項目名】００１３
【補正方法】変更
【補正の内容】
【００１３】
また、前記奇数番目のステージは、入力端子が前の奇数番目のステージのキャリー端子に接続され、制御端子が次の奇数番目のステージの出力端子に接続され、前記偶数番目のステージは、入力端子が前の偶数番目のステージのキャリー端子に接続され、制御端子が次の偶数番目のステージの出力端子に接続されることが好ましい。
【手続補正７】
【補正対象書類名】明細書
【補正対象項目名】００１４
【補正方法】変更
【補正の内容】
【００１４】
また、前記奇数番目のステージは、キャリー端子が最後の奇数番目のステージの制御端子に接続される第１ダミーステージを含み、前記偶数番目のステージは、キャリー端子が最後の偶数番目のステージの制御端子に接続される第２ダミーステージを含む。
【手続補正８】
【補正対象書類名】明細書
【補正対象項目名】００１５
【補正方法】変更
【補正の内容】
【００１５】
前記第１ダミーステージの出力端子は、他の複数の奇数番目のステージのリセット端子に接続され、前記第２ダミーステージの出力端子は、他の複数の偶数番目のステージのリセット端子に接続されることが好ましい。
【手続補正９】
【補正対象書類名】明細書
【補正対象項目名】００１６
【補正方法】変更
【補正の内容】
【００１６】
前記第２ダミーステージの出力端子は、他の複数のステージのリセット端子に接続され、前記第２ダミーステージは、前記他の複数のステージのリセット端子に接続されるプルアップトランジスタを含み、前記第２ダミーステージのプルアップトランジスタは、前記他の複数のステージのプルアップトランジスタよりもサイズが大きいことが好ましい。
【手続補正１０】
【補正対象書類名】明細書
【補正対象項目名】００１７
【補正方法】削除
【補正の内容】